(57)【要約】【課題】  複数の被写体側に集音手段及び双方向通信手段の機能を持った無線マイクを持たせ、ビデオカメラでＩＤ識別した無線マイクを携帯した被写体を撮影するときに、目的とする被写体から発生する音声を記録する記録手段を備え且つ目的とする被写体側で特定の発光パターンで発光させることで所望の被写体を特定できるようにしたビデオカメラ装置を提供する。【解決手段】  ビデオカメラ装置は、撮像手段を備えたビデオカメラであって、被写体側の複数の無線マイクからの音声信号を、近距離無線データ通信手段を介して受信する音声通信手段と、前記撮像手段により撮像した前記被写体の画像情報と前記音声通信手段により受信した個々の無線マイクからの音声信号とを記録する記録手段と、を備えたことである。【選択図】  図１
2006054567.tif 000002
【特許請求の範囲】
【請求項１】
撮像手段を備えたビデオカメラであって、
被写体側の複数の無線マイクと前記ビデオカメラとのＩＤ識別により個々の無線マイクを認識して通信する近距離無線データ通信手段を介して音声信号を受信する音声通信手段と、
前記撮像手段により撮像した前記被写体の画像情報と前記音声通信手段により受信した個々の無線マイクからの音声信号とを記録する記録手段と、
を備えたことを特徴とするビデオカメラ装置。
【請求項２】
前記近距離無線データ通信手段は、ブルートゥース方式の通信手段である請求項１に記載のビデオカメラ装置。
【請求項３】
前記ビデオカメラ側に設けた近距離無線データ通信手段は、複数存在し、これら複数の近距離無線データ通信手段の夫々と前記複数の無線マイクの夫々と通信するようにしたことを特徴とする請求項１に記載のビデオカメラ装置。
【請求項４】
前記無線マイクは、ＩＤに応じた発光パターンにより赤外線を含んで発光する発光手段を備えたことを特徴とする請求項１に記載のビデオカメラ装置。
【請求項５】
前記ビデオカメラは、前記撮像手段により撮像した画像情報から、前記無線マイクで発光する発光パターンを認識する画像認識手段を備えたことを特徴とする請求項４に記載のビデオカメラ装置。
【請求項６】
前記画像認識手段は、前記無線マイクで発光する発光パターンが認識できなくなったときに、前記ビデオカメラの電子ビューファインダー上のアイコン表示を変化させるようにしたことを特徴とする請求項５に記載のビデオカメラ装置。
【請求項７】
前記画像認識手段は、前記無線マイクで発光する発光パターンに対応する被写体側の被写体情報を記録する手段を備えると共に該被写体情報を前記記録手段で記録する画像情報と音声信号とを一緒に記録することを特徴とする請求項５に記載のビデオカメラ装置。
【請求項８】
前記被写体情報は、前記ビデオカメラの再生時に映像に該被写体情報を選択的に付加して表示することを特徴とする請求項７に記載のビデオカメラ装置。
【請求項９】
前記ビデオカメラは、前記撮像手段により撮像した画像情報に、前記複数の無線マイクが存在しているときには、電子ビューファインダーに該複数の無線マイクの位置を示すアイコンを表示させるアイコン表示手段を備えたことを特徴とする請求項１に記載のビデオカメラ装置。
【請求項１０】
前記記録手段は、複数の無線マイクのうち、いずれかを選択し、当該選択された無線マイクからの音声信号を記録するようにしたことを特徴とする請求項１に記載のビデオカメラ装置。
【請求項１１】
前記ビデオカメラは、前記撮像手段により撮像した画像情報に、前記複数の無線マイクが存在しているときに、電子ビューファインダーに選択された無線マイクのアイコン表示と選択されなかった無線マイクのアイコン表示を別物にして表示するアイコン表示手段を備えたことを特徴とする請求項１に記載のビデオカメラ装置。
【請求項１２】
前記ビデオカメラは、前記近距離無線データ通信手段によるリンクが切れた場合に、前記ビデオカメラの電子ビューファインダー上のアイコン表示を変化させる手段を備えたことを特徴とする請求項１に記載のビデオカメラ装置。
【発明の詳細な説明】
【技術分野】
【０００１】
本発明は、ビデオカメラ装置に関し、詳しくは被写体側に複数の無線マイクを持たせ、近距離無線データ通信機能、例えば、ブルートゥースを用いて互いに認証できるビデオカメラと個々の無線マイク間で、無線マイクからの音声及び被写体側の発光パターンを捉えてビデオカメラ側で記録できるようにしたビデオカメラ装置に関する。
【背景技術】
【０００２】
従来技術における撮像装置は、図８及び図９に示すように、被写体側に無線通信装置１１１を持たせるもので、この無線通信装置１１１は、アンテナ１１２、送受信部１１３、スピーカ１１４、マイク１１５、発光素子１１６とを備えた構成になっている。ビデオカメラ側ではこの無線通信装置１１１を介して被写体からの音声信号を受信すると共に、音声信号を送信している時又は撮影者側からの音声信号を受信している時に発光する発光素子１１６の様子を視認により検知することで、特定した被写体の撮影及びその被写体側で発する音声を録画できるというものである。
【特許文献１】特開平９−２１９８０８号（第２頁  第１図）
【発明の開示】
【発明が解決しようとする課題】
【０００３】
しかしながら、従来技術で説明した撮像装置は、音声信号の送信時又は受信時に発光する発光素子を備えているが、この発光素子の認識は撮影者が行わなければならず、又、別組の同じ装置からの発光があった場合、区別がつかなくなるので目的とする被写体を正しく撮影できないという問題がある。
又、複数の被写体からの音声信号を容易に選択して、複数を同時に録音することもできないという問題もある。
【０００４】
従って、被写体側に設ける集音手段や発光手段が撮影者側からみて正確に検知できるようにすることと、複数の被写体を対象とする場合であっても、その複数の被写体を正確に検知できるようなビデオカメラ装置に解決しなければならない課題を有する。
【課題を解決するための手段】
【０００５】
上記課題を解決するために、本願発明のビデオカメラ装置は、次に示す構成にすることである。
【０００６】
（１）ビデオカメラ装置は、撮像手段を備えたビデオカメラであって、被写体側の複数の無線マイクと前記ビデオカメラとのＩＤ識別により個々の無線マイクを認識して通信する近距離無線データ通信手段を介して音声信号を受信する音声通信手段と、前記撮像手段により撮像した前記被写体の画像情報と前記音声通信手段により受信した個々の無線マイクからの音声信号とを記録する記録手段と、を備えたことである。
（２）前記近距離無線データ通信手段は、ブルートゥース方式の通信手段である（１）に記載のビデオカメラ装置。
（３）前記ビデオカメラ側に設けた近距離無線データ通信手段は、複数存在し、これら複数の近距離無線データ通信手段の夫々と前記複数の無線マイクの夫々と通信するようにしたことを特徴とする（１）に記載のビデオカメラ装置。
（４）前記無線マイクは、ＩＤに応じた発光パターンにより赤外線を含んで発光する発光手段を備えたことを特徴とする（１）に記載のビデオカメラ装置。
（５）前記ビデオカメラは、前記撮像手段により撮像した画像情報から、前記無線マイクで発光する発光パターンを認識する画像認識手段を備えたことを特徴とする（４）に記載のビデオカメラ装置。
（６）前記画像認識手段は、前記無線マイクで発光する発光パターンが認識できなくなったときに、前記ビデオカメラの電子ビューファインダー上のアイコン表示を変化させるようにしたことを特徴とする（５）に記載のビデオカメラ装置。
（７）前記画像認識手段は、前記無線マイクで発光する発光パターンに対応する被写体側の被写体情報を記録する手段を備えると共に該被写体情報を前記記録手段で記録する画像情報と音声信号とを一緒に記録することを特徴とする（５）に記載のビデオカメラ装置。
（８）前記被写体情報は、前記ビデオカメラの再生時に映像に該被写体情報を選択的に付加して表示することを特徴とする（７）に記載のビデオカメラ装置。
（９）前記ビデオカメラは、前記撮像手段により撮像した画像情報に、前記複数の無線マイクが存在しているときには、電子ビューファインダーに該複数の無線マイクの位置を示すアイコンを表示させるアイコン表示手段を備えたことを特徴とする（１）に記載のビデオカメラ装置。
（１０）前記記録手段は、複数の無線マイクのうち、いずれかを選択し、当該選択された無線マイクからの音声信号を記録するようにしたことを特徴とする（１）に記載のビデオカメラ装置。
（１１）前記ビデオカメラは、前記撮像手段により撮像した画像情報に、前記複数の無線マイクが存在しているときに、電子ビューファインダーに選択された無線マイクのアイコン表示と選択されなかった無線マイクのアイコン表示を別物にして表示するアイコン表示手段を備えたことを特徴とする（１）に記載のビデオカメラ装置。
（１２）前記ビデオカメラは、前記近距離無線データ通信手段によるリンクが切れた場合に、前記ビデオカメラの電子ビューファインダー上のアイコン表示を変化させる手段を備えたことを特徴とする（１）に記載のビデオカメラ装置。
【発明の効果】
【０００７】
複数の被写体に特有の発光パターンによる発光をするようにして、その発光パターンにより個々の被写体の識別ができ、目的とする被写体からの音声信号を選択して受信できるようにすることで、目的の被写体の音声がはっきりと録音できるので、映像と音声の違和感がなくなる。
又、同様なビデオカメラ装置がまわりにあっても、無線マイクとＩＤを対応させて接続するので、他の無線マイクからの混信がなく記録できる。
更に、まわりが被写体と同じ服装をしている場合、例えば、運動会などでも被写体がアイコン表示によって明確に表示されるので、見失うことなく確実な撮影ができる。
また、電子ビューファインダーに表示されるアイコンを見ていれば、リンクの状態も把握できるので、撮影者が意図した撮影ができる。
さらに、電子ビューファインダーに表示されるアイコンを見て、複数の中から記録したい被写体の音声を選択して記録できるので、例えば、演劇などでも、せりふを言う被写体の音声を効果的に記録できる。
さらに、通信確保がぎりぎりの状態であってもすぐに復帰でき再設定の必要がない。
さらに、再生時に被写体がどの位置にいるのかが電子ビューファインダーに表示されるアイコンなどでわかるので、例えば、運動会などの演技でも判りやすい。
さらに、再生時に被写体の情報が表示されるので、誰の音声か判りやすいし見る楽しさが増える。
さらに、ビデオカメラ側に通信手段を２系統持つことで２チャンネル記録で左右同時に対応して記録できるので、再生時の音の臨場感が良くなる。
【発明を実施するための最良の形態】
【０００８】
次に、本願発明に係るビデオカメラ装置の実施形態について、図面を参照して、以下説明する。
【実施例１】
【０００９】
本願発明のビデオカメラ装置は、複数の被写体側に音声を集音して無線で伝送する近距離無線データ通信手段を備えた無線マイクを持たせ、被写体を撮像するビデオカメラ側に被写体を撮像しながら、所望の被写体で発生する音声をＩＤ識別した個々の無線マイクから受信すると共に無線マイクから発光する発光パターンを撮影と同時に記録するというもので、例えば、遠くの被写体の音声を記録するとき、発光パターンを識別することで、被写体を特定してはっきりと録音できるので、映像と音声の違和感をなくした状態で記録できるというものである。
近距離無線データ通信手段は、実施例においてはブルートゥース方式の通信手段であり、これは双方向通信を可能にしている。
【００１０】
ブルートゥース通信を行うブルートゥースデバイスは、２．４ＧＨｚ帯域の電波を使用して、無線でデータを送受信するものであり、その最大転送速度は、１Ｍｂｉｔ／ｓｅｃ、変調方式は、ＧＦＳＫ（Ｇａｕｓｓｉａｎ  Ｆｒｅｑｕｅｎｃｙ  Ｓｈｉｆｔ  Ｋｅｙｉｎｇ）とされている。又、ブルートゥースデバイスでの最大転送距離は、１０ｍ（出力１ｍｗ）と１００ｍ（出力１００ｍｗ）のものがあり、その用途により使い分けられる。
ブルートゥースデバイスは、転送可能な距離の範囲内（以下、圏内と称する）に通信可能なブルートゥースデバイスを検出したとき（ブルートゥースデバイスを備えた電子機器を検出したとき）、相互に認証処理を実行し、認証処理が成功した場合に、相互にデータの授受をすることができる。より詳細には、ブルートゥースの制御部は記憶部が記憶しているブルートゥースネットワークを構成する機器のリストを管理しており、認証が成功したとき、この機器のリストに新たに検出された機器を登録する。又、リストに加えられた機器が圏内から外れた場合（以下、圏外の場合と称する）、制御部は記憶部に保持されたリストからその機器を削除する。この処理により制御部はリストに登録されている機器に限り、ブルートゥースネットワークを介した通信が可能であると認識する。このため、各種のデバイス間では、ブルートゥースネットワークによる相互の通信が可能とするため、予めデバイス同士が、相互の認証情報を登録する必要がある。
実施例においては、複数の無線マイク１１（図１参照）とビデオカメラ２０（図２参照）との認証情報を予め登録しておき、これ以外の機器との交信はできないように設定してある。
【００１１】
無線マイク１１は、図１に示すように、マイク１２と、イヤホン１６と、イヤホン１６を接続するイヤホン端子１５と、マイク１２からの信号を入力して処理すると共にマイク側アンテナ１４で受信した信号を処理しイヤホン１６側に出力する機能を備えた信号処理部１３と、信号処理部１３で処理された信号をブルートゥース信号にしてマイク側アンテナ１４を介して送信し或はマイク側アンテナ１４を介してブルートゥース信号を受信する無線通信部１８と、無線通信部１８で受信したブルートゥース信号を信号処理部１３で処理し、特にその中でＩＤデータに基づいてＩＤを設定するＩＤ設定部１９と、ＩＤ設定部１９で設定されたＩＤデータに基づく発光パターンにより発光する赤外線発光素子１７とで大略構成されている。
【００１２】
ビデオカメラ２０は、図２に示すように、被写体を撮影するレンズ部２１と、カメラ信号処理部２５で認識された画像の中から無線マイク１１の赤外線発光素子１７で発光した発光パターンを認識するための画像認識部２２と、画像認識部２２を含んだ制御をする制御部３０と、アイコンを表示する電子ビューファインダー２９と、撮像した音声映像を記録する記録媒体３３と、記録媒体３３に記録を制御する信号記録部２８と、内蔵マイク２３と、撮影者マイク３２と、撮影者マイク３２を接続するマイク端子３１と、撮影者イヤホン３４と、撮影者イヤホン３４を接続するイヤホン端子３５と、撮影者イヤホン３４で集音された音声と無線マイク１１側から送られてきた音声とを混合させる音声ＭＩＸ部２７と、撮影者マイク３２で集音された音声をビデオ側アンテナ２４を介して伝送するように処理するブルートゥースデバイスを備えると共に無線マイク１１からの音声信号を処理する無線信号処理部２６と、ビデオ側アンテナ２４と、音声ＭＩＸ部２７からの音声とレンズ部２１で撮像した信号とを処理するカメラ信号処理部２５とを備えた構成になっている。
【００１３】
このような構成の無線マイク１１及びビデオカメラ２０について、先ず、無線マイク１１は、被写体側にこの無線マイク１１を持たせることで、被写体の音声をマイク１２で集音して、信号処理部１３で音声信号をブルートゥース信号に符号化して、無線通信部１８で所定の高周波信号にして、マイク側アンテナ１４から伝送する。その時、赤外線発光素子１７がＩＤ設定部１９で定められた個々の無線マイク固有の発光パターンで発光する。
又、ビデオカメラ２０からのブルートゥース信号は、マイク側アンテナ１４と無線通信部１８で受信され、信号処理部１３で音声に復調されて、イヤホン端子１５に接続されたイヤホン１６で、被写体は撮影者からの動作指示や記録音声モニタを聞くことができる。
【００１４】
ビデオカメラ２０は、被写体の映像をレンズ部２１で電気信号に変換しカメラ信号処理部２５で録画信号に処理し、信号記録部２８で記録媒体３３に録画する。音声は内蔵マイク２３で集音し、カメラ信号処理部２５で録画信号に処理し、信号記録部２８で記録媒体３３に映像と共に記録する。
【００１５】
無線マイク１１から伝送したブルートゥース信号をビデオ側アンテナ２４で受信し、無線信号処理部２６で復号し、内蔵マイク２３からの音声と混合して信号記録部２８で記録媒体３３に映像と共に記録する。この混合比率は０〜１００パーセントの間で設定する。
又、撮影開始前の、個々の無線マイク１１とビデオカメラ２０とのブルートゥース通信リンクを確定するときに、個々の無線マイク１１からのＩＤに基づく個々の発光パターンをビデオカメラ２０にＩＤと関連付けて認識させる。無線マイク１１からの赤外線発光パターンはレンズ部２１で電気信号に変換しカメラ信号処理部２５を経て、画像認識部２２で認識し、制御部３０で通信該当無線マイクと判断し、カメラの画角内の位置を特定して、電子ビューファインダー２９上に矢印などのアイコンで表示する。
【００１６】
カメラ画角内に複数の発光パターンが認識される時は、図３に示すように、電子ビューファインダー２９上に複数の矢印などの位置表示用アイコンで表示する。撮影者は、記録したい無線マイクを電子ビューファインダー２９上のタッチパネル入力装置などの選択手段により選択して記録する。この時、選択された無線マイク１１を表すアイコンの色などを変えて撮影者に判り易くする。カメラ画角内に発光パターンが認識される時は無線マイク１１の移動に伴い、矢印などのアイコンも移動する。
【００１７】
人の動きにより陰になるなどして、赤外線発光素子１７からの発光パターンが認識されない場合は、図４に示すように、電子ビューファインダー２９上のアイコン表示を発光パターン不明表示用アイコン、実施例では「？」マークを表示するようにする。又、再度発光パターンが認識された場合には、元の表示に戻す。
【００１８】
被写体がより遠くに離れてしまい、ブルートゥース通信のリンクが途切れてしまった場合は、図５に示すように、発光パターンが認識されている場合でもリンクが途切れていることを表すアイコン、実施例では×印に○をつけたリンク途切れ表示用アイコンを電子ビューファインダー２９上に表示する。撮影者は、このアイコンを見て、無線マイクの切り換えや撮影の停止や復帰しての再開ができる。
リンクが切れてもブルートゥース通信は待ち受け状態にして、復帰後すぐに通信が再開できるようにする。カメラ画角内の無線マイク全てのリンクが切れると、制御部３０により、記録音声を内蔵マイク２３からの音声に切り換える。この場合の電子ビューファインダー２９上のアイコン表示も、リンク途切れを表す表示にする。リンクが復帰したら元の混合比の状態に戻す。
又、設定により、切り換えずに無音録音のままでも良い。この時のアイコン表示は、発光パターンが認識される時は、図３に示す表示例と同じである。
また、発光パターンが認識されない場合は、図４に示す表示例と同じである。
又、撮影開始前の、無線マイク１１とビデオカメラ２０とのブルートゥース通信リンクを確定する時に、無線マイク１１からのＩＤに基づいた発光パターンをビデオカメラ２０に認識させる時に、発光パターンと関連付けて、ビデオカメラ２０の図示していない入力手段によって、人名などの被写体情報を情報記憶部３６に記憶し、信号記録部２８で処理をして、映像と音声と共に被写体情報を記録媒体３３に記録する画像認識部２２で認識した位置情報も合わせて記録してもよい。ＤＶＤを例にするとサブピクチャーの部分に被写体情報などを記録する。
図６に示すように、再生画像の場合は、被写体の位置を被写体情報位置表示用アイコンで表示し、画面下部位置に被写体情報を表示する。
【００１９】
また、ビデオカメラ２０が、ビデオ側アンテナ２４と無線信号処理部２６を２系統持つなりした場合には、図７に示すように、２つのブルートゥース通信に対応して２つの無線マイクからの信号を同時に受信して、右側の無線マイク１１からの音声をＲチャンネルに、左側の無線マイク１１からの音声をＬチャンネルに記録する。多数の無線マイク１１が移動して、左右の相対位置が変わってしまったら、画像認識部２２で検知して、その画角に合わせた位置の左右に対応して、制御部３０で接続先を変えて違和感のなく記録し、その状態は電子ビューファインダー上で位置表示用アイコンと無線マイクの表示で容易に解かる。
【産業上の利用可能性】
【００２０】
複数の被写体側に集音手段及び双方向通信手段の機能を持った無線マイクを持たせ、ビデオカメラ部でＩＤ識別した無線マイクを携帯する被写体を撮影するときに、被写体から発生する音声を記録する記録手段を備えると共に電子ビューファインダー上に被写体の特定の発光パターンを認識して表示させることで目的とする被写体を容易に捉えた撮影を可能にしたビデオカメラ装置を提供する。
【図面の簡単な説明】
【００２１】
【図１】本発明に係る無線マイクを示すブロック図である。
【図２】本発明に係るビデオカメラを示すブロック図である。
【図３】電子ビューファインダーでの表示例である。
【図４】電子ビューファインダーでの表示例である。
【図５】電子ビューファインダーでの表示例である。
【図６】再生画像の表示例である。
【図７】電子ビューファインダーでの表示例である。
【図８】従来技術における無線通信装置を略示的に示した説明図である。
【図９】同、表示例である。
【符号の説明】
【００２２】
１１；無線マイク、１２；マイク、１３；信号処理部、１４；マイク側アンテナ、１５；イヤホン端子、１６；イヤホン、１７；赤外線発光素子、１８；無線通信部、１９；ＩＤ設定部、２０；ビデオカメラ、２１；レンズ部、２２；画像認識部、２３；内蔵マイク、２４；ビデオ側アンテナ、２５；カメラ信号処理部、２６；無線信号処理部、２７；音声ＭＩＸ部、２８；信号記録部、２９；電子ビューファインダー、３０；制御部、３１；マイク端子、３２；撮影者マイク、３３；記録媒体、３４；撮影者イヤホン、３５；イヤホン端子、３６；情報記憶部。
【図１】
2006054567.tif 000003
【図２】
2006054567.tif 000004
【図３】
2006054567.tif 000005
【図４】
2006054567.tif 000006
【図５】
2006054567.tif 000007
【図６】
2006054567.tif 000008
【図７】
2006054567.tif 000009
【図８】
2006054567.tif 000010
【図９】
2006054567.tif 000011